(57)【要約】【課題】決済設定だけでなく洗車設定も併せてコード化したＱＲコード（登録商標）等をユーザのアプリケーションに出力することで、洗車機での料金精算を含む受付処理を素早く行うことができるデジタルプリペイドカード連動洗車システム、デジタルプリペイドカード連動洗車サーバ、デジタルプリペイドカード連動洗車方法、および、デジタルプリペイドカード連動洗車プログラムを提供することを課題とする。【解決手段】端末装置にて洗車項目が選択された場合、当該洗車項目、および、ユーザデータに基づいて、光学読取可能な情報コードを生成し、情報コードを端末装置に表示させるように制御し、端末装置に表示された情報コードが洗車装置により読み取られ、当該洗車装置にて洗車が実行された場合、ユーザの洗車実施データを取得し、洗車実施データに基づいて、ユーザデータの更新を実行する。【選択図】図１
2020149717.tif 000002
【特許請求の範囲】
【請求項１】
入出力部を備えた端末装置、入出力部を備えた洗車装置、および、記憶部と制御部とを備えたデジタルプリペイドカード連動洗車サーバを通信可能に接続したデジタルプリペイドカード連動洗車システムであって、
前記記憶部は、
前記洗車装置での洗車項目を含む洗車メニューを記憶する洗車メニュー記憶手段と、
前記端末装置のユーザのプリペイド残高を含むプリペイドデータを含むユーザデータを記憶するユーザ記憶手段と、
を備え、
前記制御部は、
前記洗車項目を選択可能とした洗車メニュー画面を前記端末装置の前記入出力部に表示させるように制御する洗車メニュー表示制御手段と、
前記端末装置にて前記洗車項目が選択された場合、当該洗車項目、および、情報コード識別子をコード化した、光学読取可能な情報コードを生成し、当該情報コード識別子を含む認証データを前記洗車装置に送信するコード生成手段と、
前記プリペイド残高から前記洗車項目に対応する金額を仮減算処理し、仮プリペイド残高を取得し、前記情報コードを前記端末装置の前記入出力部に表示させるように制御するコード表示制御手段と、
前記端末装置の前記入出力部に表示された前記情報コードが前記洗車装置の前記入出力部により読み取られ、当該洗車装置にて前記情報コードにコード化された前記情報コード識別子と前記認証データに含まれる前記情報コード識別子とが一致すると判定され、洗車が実行された場合、前記洗車装置から送信された前記ユーザの洗車実施データを取得する洗車実施データ取得手段と、
前記洗車実施データから前記洗車装置にて実行された前記ユーザの前記洗車項目を特定し、洗車履歴を前記ユーザデータに追加し、且つ、前記仮プリペイド残高を更新後の確定したプリペイド残高として減算処理することで、当該ユーザデータの更新を実行する更新手段と、
を備えたことを特徴とするデジタルプリペイドカード連動洗車システム。
【請求項２】
前記洗車装置は、
制御部を備え、
前記コード生成手段は、
更に、情報コード出力時刻を含む前記認証データを前記洗車装置に送信し、
前記洗車装置の前記制御部は、
前記端末装置の前記入出力部に表示された前記情報コードが前記洗車装置の前記入出力部により読み取られた際に、当該情報コードにコード化された前記情報コード識別子と、前記認証データに含まれる前記情報コード識別子が一致した場合、および／または、当該情報コードの読取時刻が、前記認証データに含まれる前記情報コード出力時刻から所定時間内であると判定した場合、前記洗車を制御する洗車制御手段、
を備えたことを特徴とする請求項１に記載のデジタルプリペイドカード連動洗車システム。
【請求項３】
前記更新手段は、
前記プリペイドデータに洗い放題チケットデータが含まれており、且つ、前記端末装置にてチケット種別として洗い放題チケットが選択された場合、前記洗車実施データから前記洗車装置にて実行された前記ユーザの前記洗車項目を特定し、前記洗車履歴を前記ユーザデータに追加し、且つ、前記仮プリペイド残高を前記更新後の確定したプリペイド残高として減算処理することで、前記ユーザデータの更新を実行することを特徴とする請求項１または２に記載のデジタルプリペイドカード連動洗車システム。
【請求項４】
前記洗い放題チケットデータは、
洗い放題有効期限を含み、
前記更新手段は、
前記プリペイドデータに前記洗い放題チケットデータが含まれており、前記端末装置にて前記チケット種別として前記洗い放題チケットが選択された場合、且つ、前記情報コードの読取時刻が前記洗い放題有効期限内であると判定した場合、前記洗車実施データから前記洗車装置にて実行された前記ユーザの前記洗車項目を特定し、前記洗車履歴を前記ユーザデータに追加し、且つ、前記仮プリペイド残高を前記更新後の確定したプリペイド残高として減算処理することで、前記ユーザデータの更新を実行することを特徴とする請求項３に記載のデジタルプリペイドカード連動洗車システム。
【請求項５】
前記プリペイドデータは、
オートチャージ金額、および、支払方法を含むオートチャージ設定データを含み、
前記洗車実施データ取得手段は、
更に、前記端末装置の前記入出力部に表示された前記情報コードが前記洗車装置の前記入出力部により読み取られた際に、前記プリペイド残高より前記洗車項目に対応する金額が高いと判定した場合、前記オートチャージ設定データに基づいて、前記オートチャージ金額の加算処理により当該プリペイド残高を更新することを特徴とする請求項１から４のいずれか一つに記載のデジタルプリペイドカード連動洗車システム。
【請求項６】
前記洗車装置は、
制御部を備え、
前記洗車装置の前記制御部は、
洗車決済方法を選択させる決済方法選択画面を前記洗車装置の前記入出力部に表示させる決済方法選択画面表示手段と、
前記洗車装置の前記入出力部を介して前記洗車決済方法としてデジタルプリペイドカードが選択された場合、前記情報コードの読取画面を前記洗車装置の前記入出力部に表示させる読取画面表示手段と、
を備えたことを特徴とする請求項１に記載のデジタルプリペイドカード連動洗車システム。
【請求項７】
前記洗車項目は、
水洗い、シャンプー洗車、泡洗車、ワックス洗車、コーティング洗車、高圧ジェット洗浄、下部洗浄、および／または、ホイール洗浄を含むことを特徴とする請求項１から６のいずれか一つに記載のデジタルプリペイドカード連動洗車システム。
【請求項８】
前記情報コードは、
更に、特約店識別子、店舗識別子、および／または、チケット種別がコード化されており、
前記認証データは、
更に、前記特約店識別子、前記店舗識別子、および／または、前記チケット種別を含み、
前記洗車制御手段は、
更に、前記情報コードにコード化された前記特約店識別子と、前記認証データに含まれる前記特約店識別子が一致した場合、前記情報コードにコード化された前記店舗識別子と、前記認証データに含まれる前記店舗識別子が一致した場合、前記情報コードにコード化された前記チケット種別と、前記認証データに含まれる前記チケット種別が一致した場合、および／または、前記情報コードにコード化された前記洗車項目と、前記認証データに含まれる前記洗車項目が一致した場合、前記洗車を制御することを特徴とする請求項２に記載のデジタルプリペイドカード連動洗車システム。
【請求項９】
入出力部を備えた端末装置、および、入出力部を備えた洗車装置に通信可能に接続された、記憶部と制御部とを備えたデジタルプリペイドカード連動洗車サーバであって、
前記記憶部は、
前記洗車装置での洗車項目を含む洗車メニューを記憶する洗車メニュー記憶手段と、
前記端末装置のユーザのプリペイド残高を含むプリペイドデータを含むユーザデータを記憶するユーザ記憶手段と、
を備え、
前記制御部は、
前記洗車項目を選択可能とした洗車メニュー画面を前記端末装置の前記入出力部に表示させるように制御する洗車メニュー表示制御手段と、
前記端末装置にて前記洗車項目が選択された場合、当該洗車項目、および、情報コード識別子をコード化した、光学読取可能な情報コードを生成し、当該情報コード識別子を含む認証データを前記洗車装置に送信するコード生成手段と、
前記プリペイド残高から前記洗車項目に対応する金額を仮減算処理し、仮プリペイド残高を取得し、前記情報コードを前記端末装置の前記入出力部に表示させるように制御するコード表示制御手段と、
前記端末装置の前記入出力部に表示された前記情報コードが前記洗車装置の前記入出力部により読み取られ、当該洗車装置にて前記情報コードにコード化された前記情報コード識別子と前記認証データに含まれる前記情報コード識別子とが一致すると判定され、洗車が実行された場合、前記洗車装置から送信された前記ユーザの洗車実施データを取得する洗車実施データ取得手段と、
前記洗車実施データから前記洗車装置にて実行された前記ユーザの前記洗車項目を特定し、洗車履歴を前記ユーザデータに追加し、且つ、前記仮プリペイド残高を更新後の確定したプリペイド残高として減算処理することで、当該ユーザデータの更新を実行する更新手段と、
を備えたことを特徴とするデジタルプリペイドカード連動洗車サーバ。
【請求項１０】
入出力部を備えた端末装置、入出力部を備えた洗車装置、および、記憶部と制御部とを備えたデジタルプリペイドカード連動洗車サーバを通信可能に接続したデジタルプリペイドカード連動洗車システムに実行させるためのデジタルプリペイドカード連動洗車方法であって、
前記記憶部は、
前記洗車装置での洗車項目を含む洗車メニューを記憶する洗車メニュー記憶手段と、
前記端末装置のユーザのプリペイド残高を含むプリペイドデータを含むユーザデータを記憶するユーザ記憶手段と、
を備え、
前記制御部で実行させる、
前記洗車項目を選択可能とした洗車メニュー画面を前記端末装置の前記入出力部に表示させるように制御する洗車メニュー表示制御ステップと、
前記端末装置にて前記洗車項目が選択された場合、当該洗車項目、および、情報コード識別子をコード化した、光学読取可能な情報コードを生成し、当該情報コード識別子を含む認証データを前記洗車装置に送信するコード生成ステップと、
前記プリペイド残高から前記洗車項目に対応する金額を仮減算処理し、仮プリペイド残高を取得し、前記情報コードを前記端末装置の前記入出力部に表示させるように制御するコード表示制御ステップと、
前記端末装置の前記入出力部に表示された前記情報コードが前記洗車装置の前記入出力部により読み取られ、当該洗車装置にて前記情報コードにコード化された前記情報コード識別子と前記認証データに含まれる前記情報コード識別子とが一致すると判定され、洗車が実行された場合、前記洗車装置から送信された前記ユーザの洗車実施データを取得する洗車実施データ取得ステップと、
前記洗車実施データから前記洗車装置にて実行された前記ユーザの前記洗車項目を特定し、洗車履歴を前記ユーザデータに追加し、且つ、前記仮プリペイド残高を更新後の確定したプリペイド残高として減算処理することで、当該ユーザデータの更新を実行する更新ステップと、
を含むことを特徴とするデジタルプリペイドカード連動洗車方法。
【請求項１１】
入出力部を備えた端末装置、および、入出力部を備えた洗車装置に通信可能に接続された、記憶部と制御部とを備えたデジタルプリペイドカード連動洗車サーバに実行させるためのデジタルプリペイドカード連動洗車方法であって、
前記記憶部は、
前記洗車装置での洗車項目を含む洗車メニューを記憶する洗車メニュー記憶手段と、
前記端末装置のユーザのプリペイド残高を含むプリペイドデータを含むユーザデータを記憶するユーザ記憶手段と、
を備え、
前記制御部で実行させる、
前記洗車項目を選択可能とした洗車メニュー画面を前記端末装置の前記入出力部に表示させるように制御する洗車メニュー表示制御ステップと、
前記端末装置にて前記洗車項目が選択された場合、当該洗車項目、および、情報コード識別子をコード化した、光学読取可能な情報コードを生成し、当該情報コード識別子を含む認証データを前記洗車装置に送信するコード生成ステップと、
前記プリペイド残高から前記洗車項目に対応する金額を仮減算処理し、仮プリペイド残高を取得し、前記情報コードを前記端末装置の前記入出力部に表示させるように制御するコード表示制御ステップと、
前記端末装置の前記入出力部に表示された前記情報コードが前記洗車装置の前記入出力部により読み取られ、当該洗車装置にて前記情報コードにコード化された前記情報コード識別子と前記認証データに含まれる前記情報コード識別子とが一致すると判定され、洗車が実行された場合、前記洗車装置から送信された前記ユーザの洗車実施データを取得する洗車実施データ取得ステップと、
前記洗車実施データから前記洗車装置にて実行された前記ユーザの前記洗車項目を特定し、洗車履歴を前記ユーザデータに追加し、且つ、前記仮プリペイド残高を更新後の確定したプリペイド残高として減算処理することで、当該ユーザデータの更新を実行する更新ステップと、
を含むことを特徴とするデジタルプリペイドカード連動洗車方法。
【請求項１２】
入出力部を備えた端末装置、および、入出力部を備えた洗車装置に通信可能に接続された、記憶部と制御部とを備えたデジタルプリペイドカード連動洗車サーバに実行させるためのデジタルプリペイドカード連動洗車プログラムであって、
前記記憶部は、
前記洗車装置での洗車項目を含む洗車メニューを記憶する洗車メニュー記憶手段と、
前記端末装置のユーザのプリペイド残高を含むプリペイドデータを含むユーザデータを記憶するユーザ記憶手段と、
を備え、
前記制御部において、
前記洗車項目を選択可能とした洗車メニュー画面を前記端末装置の前記入出力部に表示させるように制御する洗車メニュー表示制御ステップと、
前記端末装置にて前記洗車項目が選択された場合、当該洗車項目、および、情報コード識別子をコード化した、光学読取可能な情報コードを生成し、当該情報コード識別子を含む認証データを前記洗車装置に送信するコード生成ステップと、
前記プリペイド残高から前記洗車項目に対応する金額を仮減算処理し、仮プリペイド残高を取得し、前記情報コードを前記端末装置の前記入出力部に表示させるように制御するコード表示制御ステップと、
前記端末装置の前記入出力部に表示された前記情報コードが前記洗車装置の前記入出力部により読み取られ、当該洗車装置にて前記情報コードにコード化された前記情報コード識別子と前記認証データに含まれる前記情報コード識別子とが一致すると判定され、洗車が実行された場合、前記洗車装置から送信された前記ユーザの洗車実施データを取得する洗車実施データ取得ステップと、
前記洗車実施データから前記洗車装置にて実行された前記ユーザの前記洗車項目を特定し、洗車履歴を前記ユーザデータに追加し、且つ、前記仮プリペイド残高を更新後の確定したプリペイド残高として減算処理することで、当該ユーザデータの更新を実行する更新ステップと、
を実行させるためのデジタルプリペイドカード連動洗車プログラム。
【発明の詳細な説明】
【技術分野】
【０００１】
本発明は、デジタルプリペイドカード連動洗車システム、デジタルプリペイドカード連動洗車サーバ、デジタルプリペイドカード連動洗車方法、および、デジタルプリペイドカード連動洗車プログラムに関する。
【背景技術】
【０００２】
特許文献１記載の洗車受付システムにおいては、非接触ＩＣチップを搭載した携帯端末を洗車受付装置のリーダライタ部にかざすことで、予め携帯端末にチャージされた電子マネーから決済を実行する技術が開示されている。
【先行技術文献】
【特許文献】
【０００３】
【特許文献１】特開２００９−３０１０７３号公報
【発明の概要】
【発明が解決しようとする課題】
【０００４】
しかしながら、特許文献１に記載の洗車受付システムにおいては、スマートフォン等の端末に搭載されたアプリケーションへの課金（チャージ）により洗車料金をＱＲコード（登録商標）等で決済することができなかった。
【０００５】
本発明は、上記問題点に鑑みてなされたものであって、決済設定だけでなく洗車設定も併せてコード化したＱＲコード（登録商標）等をユーザのアプリケーションに出力することで、洗車機での料金精算を含む受付処理を素早く行うことができるデジタルプリペイドカード連動洗車システム、デジタルプリペイドカード連動洗車サーバ、デジタルプリペイドカード連動洗車方法、および、デジタルプリペイドカード連動洗車プログラムを提供することを目的とする。
【課題を解決するための手段】
【０００６】
上述した課題を解決し、目的を達成するために、本発明に係るデジタルプリペイドカード連動洗車システムは、入出力部を備えた端末装置、入出力部を備えた洗車装置、および、記憶部と制御部とを備えたデジタルプリペイドカード連動洗車サーバを通信可能に接続したデジタルプリペイドカード連動洗車システムであって、前記記憶部は、前記洗車装置での洗車項目を含む洗車メニューを記憶する洗車メニュー記憶手段と、前記端末装置のユーザのプリペイドデータを含むユーザデータを記憶するユーザ記憶手段と、を備え、前記制御部は、前記端末装置にて前記洗車項目が選択された場合、当該洗車項目、および、前記ユーザデータに基づいて、光学読取可能な情報コードを生成するコード生成手段と、前記情報コードを前記端末装置の前記入出力部に表示させるように制御するコード表示制御手段と、前記端末装置の前記入出力部に表示された前記情報コードが前記洗車装置の前記入出力部により読み取られ、当該洗車装置にて洗車が実行された場合、前記ユーザの洗車実施データを取得する洗車実施データ取得手段と、前記洗車実施データに基づいて、前記ユーザデータの更新を実行する更新手段と、を備えたことを特徴とする。
【０００７】
また、本発明に係るデジタルプリペイドカード連動洗車システムにおいて、前記洗車装置は、制御部を備え、前記情報コードは、情報コード識別子、および／または、情報コード出力時刻がコード化されており、前記コード生成手段は、更に、前記情報コード識別子、および／または、前記情報コード出力時刻を含む認証データを前記洗車装置に送信し、前記洗車装置の前記制御部は、前記端末装置の前記入出力部に表示された前記情報コードが前記洗車装置の前記入出力部により読み取られた際に、当該情報コードにコード化された前記情報コード識別子と、前記認証データに含まれる前記情報コード識別子が一致した場合、および／または、当該情報コードの読取時刻が、前記認証データに含まれる前記情報コード出力時刻から所定時間内であると判定した場合、洗車を制御する洗車制御手段、を備えたことを特徴とする。
【０００８】
また、本発明に係るデジタルプリペイドカード連動洗車システムにおいて、前記更新手段は、前記プリペイドデータに洗い放題チケットデータが含まれており、且つ、前記端末装置にて前記チケット種別として洗い放題チケットが選択された場合、前記洗車実施データに基づいて、洗車履歴を追加する前記ユーザデータの更新を実行することを特徴とする。
【０００９】
また、本発明に係るデジタルプリペイドカード連動洗車システムにおいて、前記洗い放題チケットデータは、洗い放題有効期限を含み、前記更新手段は、前記プリペイドデータに前記洗い放題チケットデータが含まれており、前記端末装置にてチケット種別として前記洗い放題チケットが選択された場合、且つ、前記情報コードの読取時刻が前記洗い放題有効期限内であると判定した場合、前記洗車実施データに基づいて、前記洗車履歴を追加する前記ユーザデータの更新を実行することを特徴とする。
【００１０】
また、本発明に係るデジタルプリペイドカード連動洗車システムにおいて、前記プリペイドデータは、プリペイド残高を含み、前記更新手段は、前記端末装置にてチケット種別としてプリペイド洗車チケットが選択された場合、前記洗車実施データに基づいて、前記プリペイド残高から前記洗車項目に対応する金額を減算処理する前記ユーザデータの更新を実行することを特徴とする。
【００１１】
また、本発明に係るデジタルプリペイドカード連動洗車システムにおいて、前記プリペイドデータは、プリペイド残高、ならびに、オートチャージ金額、および、支払方法を含むオートチャージ設定データを含み、前記洗車実施データ取得手段は、更に、前記端末装置の前記入出力部に表示された前記情報コードが前記洗車装置の前記入出力部により読み取られた際に、前記プリペイド残高より前記洗車項目に対応する金額が高いと判定した場合、前記オートチャージ設定データに基づいて、前記オートチャージ金額の加算処理により当該プリペイド残高を更新することを特徴とする。
【００１２】
また、本発明に係るデジタルプリペイドカード連動洗車システムにおいて、前記洗車装置は、制御部を備え、前記洗車装置の前記制御部は、洗車決済方法を選択させる決済方法選択画面を前記洗車装置の前記入出力部に表示させる決済方法選択画面表示手段と、前記洗車装置の前記入出力部を介して前記洗車決済方法としてデジタルプリペイドカードが選択された場合、前記情報コードの読取画面を前記洗車装置の前記入出力部に表示させる読取画面表示手段と、を備えたことを特徴とする。
【００１３】
また、本発明に係るデジタルプリペイドカード連動洗車システムにおいて、前記デジタルプリペイドカード連動洗車サーバの前記制御部は、前記洗車項目を選択可能とした洗車メニュー画面を前記端末装置の前記入出力部に表示させるように制御する洗車メニュー表示制御手段、更に備えたことを特徴とする。
【００１４】
また、本発明に係るデジタルプリペイドカード連動洗車システムにおいて、前記情報コードは、更に、特約店識別子、店舗識別子、チケット種別、および／または、前記端末装置にて選択された前記洗車項目がコード化されており、前記認証データは、更に、前記特約店識別子、前記店舗識別子、前記チケット種別、および／または、前記洗車項目を含み、前記洗車制御手段は、更に、前記情報コードにコード化された前記特約店識別子と、前記認証データに含まれる前記特約店識別子が一致した場合、前記情報コードにコード化された前記店舗識別子と、前記認証データに含まれる前記店舗識別子が一致した場合、前記情報コードにコード化された前記チケット種別と、前記認証データに含まれる前記チケット種別が一致した場合、および／または、前記情報コードにコード化された前記洗車項目と、前記認証データに含まれる前記洗車項目が一致した場合、洗車を制御することを特徴とする。
【００１５】
また、本発明に係るデジタルプリペイドカード連動洗車サーバにおいて、入出力部を備えた端末装置、および、入出力部を備えた洗車装置に通信可能に接続された、記憶部と制御部とを備えたデジタルプリペイドカード連動洗車サーバであって、前記記憶部は、前記洗車装置での洗車項目を含む洗車メニューを記憶する洗車メニュー記憶手段と、前記端末装置のユーザのプリペイドデータを含むユーザデータを記憶するユーザ記憶手段と、を備え、前記制御部は、前記端末装置にて前記洗車項目が選択された場合、当該洗車項目、および、前記ユーザデータに基づいて、光学読取可能な情報コードを生成するコード生成手段と、前記情報コードを前記端末装置の前記入出力部に表示させるように制御するコード表示制御手段と、前記端末装置の前記入出力部に表示された前記情報コードが前記洗車装置の前記入出力部により読み取られ、当該洗車装置にて洗車が実行された場合、前記ユーザの洗車実施データを取得する洗車実施データ取得手段と、前記洗車実施データに基づいて、前記ユーザデータの更新を実行する更新手段と、を備えたことを特徴とする。
【００１６】
また、本発明に係るデジタルプリペイドカード連動洗車方法は、入出力部を備えた端末装置、入出力部を備えた洗車装置、および、記憶部と制御部とを備えたデジタルプリペイドカード連動洗車サーバを通信可能に接続したデジタルプリペイドカード連動洗車システムに実行させるためのデジタルプリペイドカード連動洗車方法であって、前記記憶部は、前記洗車装置での洗車項目を含む洗車メニューを記憶する洗車メニュー記憶手段と、前記端末装置のユーザのプリペイドデータを含むユーザデータを記憶するユーザ記憶手段と、を備え、前記制御部で実行させる、前記端末装置にて前記洗車項目が選択された場合、当該洗車項目、および、前記ユーザデータに基づいて、光学読取可能な情報コードを生成するコード生成ステップと、前記情報コードを前記端末装置の前記入出力部に表示させるように制御するコード表示制御ステップと、前記端末装置の前記入出力部に表示された前記情報コードが前記洗車装置の前記入出力部により読み取られ、当該洗車装置にて洗車が実行された場合、前記ユーザの洗車実施データを取得する洗車実施データ取得ステップと、前記洗車実施データに基づいて、前記ユーザデータの更新を実行する更新ステップと、を含むことを特徴とする。
【００１７】
また、本発明に係るデジタルプリペイドカード連動洗車方法は、入出力部を備えた端末装置、および、入出力部を備えた洗車装置に通信可能に接続された、記憶部と制御部とを備えたデジタルプリペイドカード連動洗車サーバに実行させるためのデジタルプリペイドカード連動洗車方法であって、前記記憶部は、前記洗車装置での洗車項目を含む洗車メニューを記憶する洗車メニュー記憶手段と、前記端末装置のユーザのプリペイドデータを含むユーザデータを記憶するユーザ記憶手段と、を備え、前記制御部で実行させる、前記端末装置にて前記洗車項目が選択された場合、当該洗車項目、および、前記ユーザデータに基づいて、光学読取可能な情報コードを生成するコード生成ステップと、前記情報コードを前記端末装置の前記入出力部に表示させるように制御するコード表示制御ステップと、前記端末装置の前記入出力部に表示された前記情報コードが前記洗車装置の前記入出力部により読み取られ、当該洗車装置にて洗車が実行された場合、前記ユーザの洗車実施データを取得する洗車実施データ取得ステップと、前記洗車実施データに基づいて、前記ユーザデータの更新を実行する更新ステップと、を含むことを特徴とする。
【００１８】
また、本発明に係るデジタルプリペイドカード連動洗車プログラムは、入出力部を備えた端末装置、および、入出力部を備えた洗車装置に通信可能に接続された、記憶部と制御部とを備えたデジタルプリペイドカード連動洗車サーバに実行させるためのデジタルプリペイドカード連動洗車プログラムであって、前記記憶部は、前記洗車装置での洗車項目を含む洗車メニューを記憶する洗車メニュー記憶手段と、前記端末装置のユーザのプリペイドデータを含むユーザデータを記憶するユーザ記憶手段と、を備え、前記制御部において、前記端末装置にて前記洗車項目が選択された場合、当該洗車項目、および、前記ユーザデータに基づいて、光学読取可能な情報コードを生成するコード生成ステップと、前記情報コードを前記端末装置の前記入出力部に表示させるように制御するコード表示制御ステップと、前記端末装置の前記入出力部に表示された前記情報コードが前記洗車装置の前記入出力部により読み取られ、当該洗車装置にて洗車が実行された場合、前記ユーザの洗車実施データを取得する洗車実施データ取得ステップと、前記洗車実施データに基づいて、前記ユーザデータの更新を実行する更新ステップと、を実行させることを特徴とする。
【発明の効果】
【００１９】
本発明によれば、ユーザの洗車履歴等の各種実績を集中的に管理できるため、店舗側がユーザに対して適切なサービスの提供できるという効果を奏する。また、本発明によれば、様々なデータをコード化した情報コードを用いたコード認証処理を実行できるため、情報コードの不正利用や改竄を防止することができるという効果を奏する。
【図面の簡単な説明】
【００２０】
【図１】図１は、本実施形態におけるデジタルプリペイドカード連動洗車システムの構成の一例を示すブロック図である。
【図２】図２は、本実施形態におけるデジタルプリペイドカード連動洗車システムの処理の一例を示すフローチャートである。
【図３】図３は、本実施形態におけるデジタルプリペイドカード連動洗車処理の一例を示すフロー図である。
【図４】図４は、本実施形態におけるデジタルプリペイドカード連動洗車処理の一例を示すフロー図である。
【図５】図５は、本実施形態における利用認証処理の一例を示す図である。
【発明を実施するための形態】
【００２１】
本発明の実施形態を図面に基づいて詳細に説明する。なお、本発明は本実施形態により限定されるものではない。
【００２２】
［１．デジタルプリペイドカード連動洗車システムの構成］
本実施形態に係る洗車装置４００、端末装置１００、および、サーバ（デジタルプリペイドカード連動洗車サーバ）２００を通信可能に接続したデジタルプリペイドカード連動洗車システムの構成の一例について、図１を参照して説明する。図１は、本実施形態におけるデジタルプリペイドカード連動洗車システムの構成の一例を示すブロック図である。
【００２３】
［端末装置１００の構成］
図１において、端末装置１００は、携帯電話、スマートフォン、タブレット端末、ＰＨＳもしくはＰＤＡ（Ｐｅｒｓｏｎａｌ  Ｄｉｇｉｔａｌ  Ａｓｓｉｓｔａｎｔｓ）等の携帯端末、または、一般に市販されるデスクトップ型もしくはノート型のパーソナルコンピュータ等の情報処理装置等であってもよい。
【００２４】
端末装置１００は、制御部１０２と記憶部１０６と入出力部１１２とを備えており、端末装置１００が備えている各部は、任意の通信路を介して通信可能に接続されている。
【００２５】
入出力部１１２は、データの入出力（Ｉ／Ｏ）を行う機能を有していてもよい。ここで、入出力部１１２は、例えば、キー入力部、タッチパネル、コントロールパッド（例えば、タッチパッド、および、ゲームパッド等）、マウス、キーボード、プロジェクタ、および、マイク等であってもよい。また、入出力部１１２は、アプリケーション等の（入出力）情報を表示する表示部（例えば、液晶または有機ＥＬ等から構成されるディスプレイ、モニタ、および、タッチパネル等）であってもよい。また、入出力部１１２は、音声情報を音声として出力する音声出力部（例えば、スピーカ等）であってもよい。また、入出力部１１２は、ＣＣＤイメージセンサまたはＣＭＯＳイメージセンサ等の撮像素子で撮影した画像（静止画および動画）をデジタルデータとして記録する画像入力部（例えば、カメラ等）であってもよい。また、入出力部１１２は、指紋センサ、虹彩認証もしくは顔認証等に利用可能なカメラ（例えば、赤外線カメラ等）、および／または、静脈センサ等の生体センサであってもよい。
【００２６】
端末装置１００は、他の装置とネットワーク３００を介して通信可能に接続し、他の装置とデータを通信する機能を有する。ここで、ネットワーク３００は、洗車装置４００、端末装置１００およびサーバ２００を相互に通信可能に接続する機能を有し、例えば、インターネットおよび／またはＬＡＮ（Ｌｏｃａｌ  Ａｒｅａ  Ｎｅｔｗｏｒｋ）等である。
【００２７】
記憶部１０６には、各種のデータベース、テーブル、および／または、ファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）、および／または、ＳＳＤ（Ｓｏｌｉｄ  Ｓｔａｔｅ  Ｄｒｉｖｅ）等を用いることができる。記憶部１０６は、入出力部１１２にて記録された画像データ、ネットワーク３００を介して受信されたデータ、および／または、入出力部１１２を介して入力された入力データ等を記憶していてもよい。ここで、記憶部１０６は、ユーザの生体データ（指紋データ、静脈データおよび／または虹彩データ等）を記憶していてもよい。
【００２８】
制御部１０２は、端末装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。例えば、制御部１０２は、入出力部１１２にて記録された画像データの取得および画像データに含まれる文字データ（ＵＲＬ等）のデータ読取、ネットワーク３００を介したデータ送受信、入出力部１１２を介して入力された入力データの取得、ならびに、入出力部１１２でのデータ（画面）表示等の各処理を実行してもよい。
【００２９】
［サーバ２００の構成］
図１において、サーバ２００は、パーソナルコンピュータ、または、ワークステーション等の情報処理装置であってもよい。サーバ２００は、制御部２０２と記憶部２０６とを備えており、サーバ２００が備えている各部は、任意の通信路を介して通信可能に接続されている。サーバ２００は、ネットワーク３００を介して、端末装置１００と相互に通信可能に接続されている。
【００３０】
記憶部２０６には、各種のデータベース、テーブル、および／または、ファイルなどが格納される。記憶部２０６には、ＯＳと協働してＣＰＵに命令を与えて各種処理を行うためのコンピュータプログラムが記録される。記憶部２０６は、ＲＡＭ、ＲＯＭ、ＨＤＤ、および／または、ＳＳＤ等のストレージ手段であり、各種のデータベースやテーブルを格納する。記憶部２０６は、機能概念的に、洗車メニューデータベース２０６ａと、ユーザデータベース２０６ｂとを備えている。
【００３１】
洗車メニューデータベース２０６ａは、洗車装置４００での洗車項目を含む洗車メニューを記憶する。ここで、洗車項目は、水洗い、シャンプー洗車、泡洗車、ワックス洗車、コーティング洗車、高圧ジェット洗浄、下部洗浄、および／または、ホイール洗浄等であってもよい。
【００３２】
ユーザデータベース２０６ｂは、端末装置１００のユーザ（例えば、洗車アプリケーションの会員等）のユーザデータを記憶する。ここで、ユーザデータベース２０６ｂは、端末装置１００のユーザのプリペイドデータ（デジタルプリペイドカードデータ）を含むユーザデータを記憶していてもよい。ここで、プリペイドデータは、洗い放題チケットデータを含んでいてもよい。また、洗い放題チケットデータは、洗い放題有効期限を含んでいてもよい。また、プリペイドデータは、プリペイド残高、ならびに／または、オートチャージ金額、および／もしくは、支払方法等を含むオートチャージ設定データ等を含んでいてもよい。また、ユーザデータは、洗車履歴を含む洗車実績データ、ユーザの名称（例えば、氏名等）、車両番号を含む車両データ、および／または、来店履歴等を含んでいてもよい。また、プリペイド残高は、チケット残高等であってもよい。また、プリペイドデータは、有効期限を含んでいてもよい。また、プリペイド残高は、プリペイドの有無、プリペイド残額、および／または、プリペイド残数（例えば、回数券残数等）等であってもよい。
【００３３】
制御部２０２は、サーバ２００を統括的に制御するＣＰＵ等である。制御部２０２は、ＯＳ等の制御プログラム・各種の処理手順等を規定したプログラム・所要データなどを格納するための内部メモリを有し、格納されているこれらのプログラムに基づいて種々の情報処理を実行する。制御部２０２は、機能概念的に、洗車メニュー表示制御部２０２ａと、コード生成部２０２ｂと、コード表示制御部２０２ｃと、洗車実施取得部２０２ｄと、更新部２０２ｅとを備えている。なお、制御部２０２は、洗車装置４００における、決済方法選択画面および読取画面の表示制御、情報コード利用認証処理、ならびに、洗車制御を行ってもよい。
【００３４】
洗車メニュー表示制御部２０２ａは、洗車項目を選択可能とした洗車メニュー画面を端末装置１００の入出力部１１２に表示させるように制御する。ここで、洗車メニュー表示制御部２０２ａは、端末装置１００での洗車アプリケーション起動時、または、洗車装置４００にて洗車決済方法としてデジタルプリペイドカードが選択され、洗車装置４００からの選択結果受信時に、洗車項目を選択可能とした洗車メニュー画面を端末装置１００の入出力部１１２に表示させるように制御してもよい。また、洗車メニュー表示制御部２０２ａは、端末装置１００での洗車アプリケーション起動後、洗車決済方法としてデジタルプリペイドカードが選択された場合、洗車項目を選択可能とした洗車メニュー画面を端末装置１００の入出力部１１２に表示させるように制御してもよい。
【００３５】
コード生成部２０２ｂは、光学読取可能な情報コードを生成する。ここで、コード生成部２０２ｂは、端末装置１００にて洗車項目が選択された場合、当該洗車項目、および、ユーザデータに基づいて、光学読取可能な情報コードを生成してもよい。また、コード生成部２０２ｂは、情報コード識別子、および／または、情報コード出力時刻を含む認証データを洗車装置４００に送信してもよい。ここで、認証データは、特約店識別子、店舗識別子、チケット種別、および／または、洗車項目等を含んでいてもよい。また、情報コードは、情報コード識別子、および／または、情報コード出力時刻等がコード化されていてもよい。また、情報コードは、特約店識別子、店舗識別子、チケット種別、および／または、端末装置１００にて選択された洗車項目等がコード化されていてもよい。また、情報コードは、バーコード等の一次元コード、ＱＲコード（登録商標）等の二次元コード、または、ＰＭコード（登録商標）等の三次元コード等であってもよい。なお、洗車店舗は、店舗識別子のみで識別可能であってもよく、特約店識別子と店舗識別子とを合せて識別可能であってもよい。すなわち、異なる特約店（販売会社）同士で、同一の店舗識別子を用いている場合等、「特約店識別子＋店舗識別子」で洗車店舗を特定してもよい。
【００３６】
コード表示制御部２０２ｃは、情報コードを端末装置１００の入出力部１１２に表示させるように制御する。ここで、コード表示制御部２０２ｃは、端末装置１００にてチケット種別としてプリペイド洗車チケットが選択された場合、プリペイド残高から洗車項目に対応する金額を仮減算処理し、仮プリペイド残高を取得してもよい。
【００３７】
洗車実施取得部２０２ｄは、ユーザの洗車実施データを取得する。ここで、洗車実施取得部２０２ｄは、端末装置１００の入出力部１１２に表示された情報コードが洗車装置４００の入出力部により読み取られ、当該洗車装置４００にて洗車が実行された場合、ユーザの洗車実施データを取得してもよい。また、洗車実施取得部２０２ｄは、端末装置１００の入出力部１１２に表示された情報コードが洗車装置４００の入出力部４１２により読み取られた際に、プリペイド残高より洗車項目に対応する金額が高いと判定した場合、オートチャージ設定データに基づいて、オートチャージ金額の加算処理により当該プリペイド残高を更新してもよい。
【００３８】
更新部２０２ｅは、ユーザデータの更新を実行する。ここで、更新部２０２ｅは、洗車実施データに基づいて、ユーザデータの更新を実行してもよい。また、更新部２０２ｅは、プリペイドデータに洗い放題チケットデータが含まれており、且つ、端末装置１００にてチケット種別として洗い放題チケットが選択された場合、洗車実施データに基づいて、洗車履歴を追加するユーザデータの更新を実行してもよい。また、更新部２０２ｅは、プリペイドデータに洗い放題チケットデータが含まれており、端末装置１００にてチケット種別として洗い放題チケットが選択された場合、且つ、情報コードの読取時刻が洗い放題有効期限内であると判定した場合、洗車実施データに基づいて、洗車履歴を追加するユーザデータの更新を実行してもよい。また、更新部２０２ｅは、端末装置１００にてチケット種別としてプリペイド洗車チケットが選択された場合、洗車実施データに基づいて、プリペイド残高から洗車項目に対応する金額を減算処理するユーザデータの更新を実行してもよい。また、更新部２０２ｅは、端末装置１００にてチケット種別としてプリペイド洗車チケットが選択された場合、仮プリペイド残高を更新後のプリペイド残高として確定させることでユーザデータの更新を実行してもよい。また、更新部２０２ｅは、端末装置１００にてチケット種別としてプリペイド洗車チケットが選択された場合、洗車実施データに基づいて、洗車履歴を追加するユーザデータの更新を実行してもよい。
【００３９】
［洗車装置４００の構成］
図１において、洗車装置４００は、車両をユーザがセルフ洗車可能な洗車装置であってもよい。ここで、洗車装置４００は、洗車機と洗車受付装置とが一体型となったものであってもよく、洗車機と洗車受付装置とが別筐体となったものであってもよい。洗車装置４００は、制御部４０２と記憶部４０６とを備えており、洗車装置４００が備えている各部は、任意の通信路を介して通信可能に接続されている。洗車装置４００は、ネットワーク３００を介して、他の装置と相互に通信可能に接続されている。
【００４０】
入出力部４１２は、データの入出力（Ｉ／Ｏ）を行う機能を有していてもよい。ここで、入出力部４１２は、例えば、キー入力部、タッチパネル、コントロールパッド（例えば、タッチパッド、および、ゲームパッド等）、マウス、キーボード、および、マイク等であってもよい。また、入出力部４１２は、アプリケーション等の（入出力）情報を表示する表示部（例えば、液晶または有機ＥＬ等から構成されるディスプレイ、モニタ、および、タッチパネル等）であってもよい。また、入出力部４１２は、音声情報を音声として出力する音声出力部（例えば、スピーカ等）であってもよい。また、入出力部４１２は、ＣＣＤイメージセンサまたはＣＭＯＳイメージセンサ等の撮像素子で撮影した画像（静止画および動画）をデジタルデータとして記録する画像入力部（例えば、カメラ等）であってもよい。また、入出力部４１２は、指紋センサ、虹彩認証に利用可能なカメラ、および／または、静脈センサ等の生体センサであってもよい。
【００４１】
記憶部４０６には、各種のデータベース、テーブル、および／または、ファイルなどが格納される。記憶部４０６には、ＯＳと協働してＣＰＵに命令を与えて各種処理を行うためのコンピュータプログラムが記録される。記憶部４０６は、ＲＡＭ、ＲＯＭ、ＨＤＤ、および／または、ＳＳＤ等のストレージ手段であり、各種のデータベースやテーブルを格納する。ここで、記憶部４０６は、入出力部４１２に表示させる各種画面を記憶していてもよい。
【００４２】
制御部４０２は、洗車装置４００を統括的に制御するＣＰＵ等である。制御部４０２は、ＯＳ等の制御プログラム・各種の処理手順等を規定したプログラム・所要データなどを格納するための内部メモリを有し、格納されているこれらのプログラムに基づいて種々の情報処理を実行する。制御部４０２は、機能概念的に、決済方法選択画面表示部４０２ａと、読取画面表示部４０２ｂと、洗車制御部４０２ｃとを備えている。
【００４３】
決済方法選択画面表示部４０２ａは、洗車決済方法を選択させる決済方法選択画面を入出力部４１２に表示させる。
【００４４】
読取画面表示部４０２ｂは、情報コードの読取画面を入出力部４１２に表示させる。ここで、読取画面表示部４０２ｂは、入出力部４１２を介して洗車決済方法としてデジタルプリペイドカードが選択された場合、情報コードの読取画面を入出力部４１２に表示させてもよい。また、読取画面表示部４０２ｂは、入出力部４１２を介して洗車決済方法としてデジタルプリペイドカードが選択された場合、選択結果をデジタルプリペイドカード連動洗車サーバ２００に送信し、情報コードの読取画面を入出力部４１２に表示させてもよい。
【００４５】
洗車制御部４０２ｃは、洗車を制御する。ここで、洗車制御部４０２ｃは、端末装置１００の入出力部１１２に表示された情報コードが入出力部４１２により読み取られた際に、当該情報コードにコード化された情報コード識別子と、認証データに含まれる情報コード識別子が一致した場合、および／または、当該情報コードの読取時刻が、認証データに含まれる情報コード出力時刻から所定時間内であると判定した場合、洗車を制御してもよい。また、洗車制御部４０２ｃは、情報コードにコード化された特約店識別子と、認証データに含まれる特約店識別子が一致した場合、情報コードにコード化された店舗識別子と、認証データに含まれる店舗識別子が一致した場合、情報コードにコード化されたチケット種別と、認証データに含まれるチケット種別が一致した場合、および／または、情報コードにコード化された洗車項目と、認証データに含まれる洗車項目が一致した場合、洗車を制御してもよい。また、洗車制御部４０２ｃは、洗車実施データをサーバ２００に送信してもよい。
【００４６】
［２．デジタルプリペイドカード連動洗車システムの処理］
本実施形態に係るデジタルプリペイドカード連動洗車システムの処理の一例について、図２から図５を参照して説明する。図２は、本実施形態におけるデジタルプリペイドカード連動洗車システムの処理の一例を示すフローチャートである。
【００４７】
図２に示すように、洗車装置４００の決済方法選択画面表示部４０２ａは、洗車決済方法を選択させる決済方法選択画面を入出力部４１２に表示させる（ステップＳＡ−１）。
【００４８】
そして、洗車装置４００の読取画面表示部４０２ｂは、ユーザにより入出力部４１２を介して洗車決済方法としてデジタルプリペイドカードが選択された場合、選択結果をサーバ２００に送信し、ＱＲコード（登録商標）の読取画面を入出力部４１２に表示させる（ステップＳＡ−２）。
【００４９】
そして、サーバ２００の洗車メニュー表示制御部２０２ａは、洗車装置４００からの選択結果受信時に、チケット種別および洗車項目を選択可能とした洗車メニュー画面をスマートフォン１００の入出力部１１２に表示させるように制御する（ステップＳＡ−３）。
【００５０】
そして、サーバ２００のコード生成部２０２ｂは、ユーザによりスマートフォン１００の入出力部１１２を介してチケット種別および洗車項目が選択された場合、当該チケット種別、当該洗車項目、および、ユーザデータベース２０６ｂに記憶されたユーザデータ等に基づいて、光学読取可能なＱＲコード（登録商標）を生成し、チケット種別、ＱＲコード（登録商標）識別子、および、ＱＲコード（登録商標）出力時刻等を含む認証データを洗車装置４００に送信する（ステップＳＡ−４）。
【００５１】
そして、サーバ２００のコード表示制御部２０２ｃは、ＱＲコード（登録商標）をスマートフォン１００の入出力部１１２に表示させるように制御する（ステップＳＡ−５）。
【００５２】
そして、洗車装置４００の洗車制御部４０２ｃは、ユーザによりスマートフォン１００の入出力部１１２に表示されたＱＲコード（登録商標）が入出力部４１２により読み取られた際に、当該ＱＲコード（登録商標）にコード化されたチケット種別と、認証データに含まれるチケット種別が一致した場合、当該ＱＲコード（登録商標）にコード化されたＱＲコード（登録商標）識別子と、認証データに含まれるＱＲコード（登録商標）識別子が一致した場合、および、当該ＱＲコード（登録商標）の読取時刻が、認証データに含まれるＱＲコード（登録商標）出力時刻から所定時間内であると判定した場合、洗車を制御し、洗車実施データをサーバ２００に送信する（ステップＳＡ−６）。
【００５３】
そして、サーバ２００の更新部２０２ｅは、ユーザによりスマートフォン１００の入出力部１１２を介してチケット種別として洗い放題チケットが選択されたか否かを判定する（ステップＳＡ−７）。
【００５４】
そして、サーバ２００の更新部２０２ｅは、ユーザによりスマートフォン１００の入出力部１１２を介してチケット種別として洗い放題チケットが選択されなかった（プリペイド洗車チケットが選択された）と判定した場合（ステップＳＡ−７：Ｎｏ）、処理をステップＳＡ−８に移行させる。
【００５５】
そして、サーバ２００の更新部２０２ｅは、洗車実施データに基づいて、プリペイド残高から洗車項目に対応する金額を減算処理し、且つ、洗車履歴を追加する、ユーザデータベース２０６ｂに記憶されたユーザデータの更新を実行し（ステップＳＡ−８）、処理を終了する。
【００５６】
一方、サーバ２００の更新部２０２ｅは、ユーザによりスマートフォン１００の入出力部１１２を介してチケット種別として洗い放題チケットが選択されたと判定した場合（ステップＳＡ−７：Ｙｅｓ）、処理をステップＳＡ−９に移行させる。
【００５７】
そして、サーバ２００の更新部２０２ｅは、洗車実施データに基づいて、洗車履歴を追加する、ユーザデータベース２０６ｂに記憶されたユーザデータの更新を実行し（ステップＳＡ−９）、処理を終了する。
【００５８】
ここで、図３から図５を参照して、本実施形態におけるデジタルプリペイドカード連動洗車処理の具体例について説明する。図３および図４は、本実施形態におけるデジタルプリペイドカード連動洗車処理の一例を示すフロー図である。
【００５９】
図３に示すように、本実施形態においては、スマートフォン１００にて洗車アプリケーション起動後、ユーザによりチケット種別としてプリペイド洗車チケットが選択された場合（ステップＳＢ−１）、洗車項目を選択可能とした洗車メニュー画面をスマートフォン１００に表示させ、ユーザにより「泡ムートン洗浄：２，７３０円」および「下回り洗浄：１，５００円」が選択された場合（ステップＳＢ−２）、チケット種別、ＱＲコード（登録商標）キー、および、ＱＲコード（登録商標）出力時刻等がコード化されたＱＲコード（登録商標）をスマートフォン１００に表示させ、プリペイド残高から洗車項目に対応する金額が仮減算処理される（ステップＳＢ−３）。
【００６０】
そして、図３に示すように、本実施形態においては、スマートフォン１００に表示されたＱＲコード（登録商標）が洗車装置４００にて読み取られた際に、当該ＱＲコード（登録商標）の利用が認証された場合（ステップＳＢ−４）、洗車装置４００にて洗車が実行され、サーバ２００への洗車実施データのフィードバックにより仮プリペイド残高を更新後の確定したプリペイド残高として減算処理が実行され、且つ、洗車履歴が追加されることで、利用実績が登録される（ステップＳＢ−５）。
【００６１】
また、図４に示すように、本実施形態においては、スマートフォン１００にて洗車アプリケーション起動後、ユーザによりチケット種別として洗い放題チケットが選択された場合（ステップＳＣ−１）、洗車項目を選択可能とした洗車メニュー画面をスマートフォン１００に表示させ、ユーザにより「泡ムートン洗浄：２，７３０円」および「下回り洗浄：１，５００円」が選択された場合（ステップＳＣ−２）、チケット種別、ＱＲコード（登録商標）キー、および、ＱＲコード（登録商標）出力時刻等がコード化されたＱＲコード（登録商標）をスマートフォン１００に表示させる（ステップＳＣ−３）。
【００６２】
そして、図４に示すように、本実施形態においては、スマートフォン１００に表示されたＱＲコード（登録商標）が洗車装置４００にて読み取られた際に、当該ＱＲコード（登録商標）の利用が認証された場合（ステップＳＣ−４）、洗車装置４００にて洗車が実行され、サーバ２００への洗車実施データのフィードバックにより洗車履歴が追加されることで、洗い放題チケットのため減算処理が実行されずに利用実績のみ登録される（ステップＳＣ−５）。
【００６３】
ここで、本実施形態において、洗い放題チケットは、月額課金制等であってもよく、有効期限中対象サービスが利用無制限であってもよい。
【００６４】
ここで、図５を参照して、本実施形態における情報コードの利用認証処理の一例について説明する。図５は、本実施形態における利用認証処理の一例を示す図である。
【００６５】
図５に示すように、本実施形態においては、ユーザによりスマートフォン１００のタッチパネル１１２にて洗車決済方法として電子プリカ（デジタルプリペイドカード）が選択され、チケット種別および洗車項目等が選択された場合、１２桁のランダム値からなるＱＲコード（登録商標）キー、および、ＱＲコード（登録商標）出力時刻等がコード化されたＱＲコード（登録商標）が発行され、スマートフォン１００のタッチパネル１１２に表示され（ステップＳＤ−２）、ＱＲコード（登録商標）発行時に、ＱＲコード（登録商標）キー、および、ＱＲコード（登録商標）出力時刻等を含む認証データが洗車装置４００に送信される（ステップＳＤ−３）。
【００６６】
そして、図５に示すように、本実施形態においては、ＱＲコード（登録商標）にコード化されたＱＲコード（登録商標）キーと、認証データに含まれるＱＲコード（登録商標）キーが一致した場合、および、当該ＱＲコード（登録商標）の読取時刻が、認証データに含まれるＱＲコード（登録商標）出力時刻から所定時間内であると判定された場合、ＱＲコード（登録商標）が認証されて洗車装置４００にて洗車が実行され（ステップＳＤ−４）、ＱＲコード（登録商標）が認証されなかった場合、洗車装置４００の洗車受付パネル４１２にエラー画面が表示された後、メニュー画面に表示が戻される（ステップＳＤ−５）。
【００６７】
このように、本実施形態においては、ワンタイム、且つ、データ連携によるＱＲコード（登録商標）認証を行うことができるため、ＱＲコード（登録商標）の不正利用を防止できる。
【００６８】
［３．他の実施形態］
本発明は、上述した実施形態以外にも、特許請求の範囲に記載した技術的思想の範囲内において種々の異なる実施形態にて実施されてよいものである。
【００６９】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００７０】
また、本明細書中や図面中で示した処理手順、制御手順、具体的名称、各処理の登録データや検索条件等のパラメータを含む情報、画面例、データベース構成については、特記する場合を除いて任意に変更することができる。
【００７１】
また、端末装置１００およびサーバ２００等に関して、図示の各構成要素は機能概念的なものであり、必ずしも物理的に図示の如く構成されていることを要しない。
【００７２】
例えば、端末装置１００およびサーバ２００等が備える処理機能、特に制御部１０２および制御部２０２等にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて端末装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００７３】
また、このコンピュータプログラムは、端末装置１００およびサーバ２００等に対して任意のネットワーク３００を介して接続されたアプリケーションプログラムサーバに記憶されていてもよく、必要に応じてその全部または一部をダウンロードすることも可能である。
【００７４】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＡ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００７５】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、本実施形態に示した各装置において記録媒体を読み取るための具体的な構成および読み取り手順ならびに読み取り後のインストール手順等については、周知の構成や手順を用いることができる。
【００７６】
記憶部１０６および記憶部２０６等に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００７７】
また、端末装置１００およびサーバ２００等は、既知のパーソナルコンピュータまたはワークステーション等の情報処理装置として構成してもよく、また、任意の周辺装置が接続された当該情報処理装置として構成してもよい。また、端末装置１００およびサーバ２００等は、当該装置に本実施形態で説明した処理を実現させるソフトウェア（プログラムまたはデータ等を含む）を実装することにより実現してもよい。
【００７８】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００７９】
本発明は、洗車機を設置するサービスステーション、カー用品店、および、セルフ洗車場等を含むカーケアを行う業界において有用である。
【符号の説明】
【００８０】
１００  端末装置
１０２  制御部
１０６  記憶部
１１２  入出力部
２００  サーバ
２０２  制御部
２０２ａ  洗車メニュー表示制御部
２０２ｂ  コード生成部
２０２ｃ  コード表示制御部
２０２ｄ  洗車実施取得部
２０２ｅ  更新部
２０６  記憶部
２０６ａ  洗車メニューデータベース
２０６ｂ  ユーザデータベース
３００  ネットワーク
４００  洗車装置
４０２  制御部
４０２ａ  決済方法選択画面表示部
４０２ｂ  読取画面表示部
４０２ｃ  洗車制御部
４０６  記憶部
４１２  入出力部
【図１】
2020149717.tif 000003
【図２】
2020149717.tif 000004
【図３】
2020149717.tif 000005
【図４】
2020149717.tif 000006
【図５】
2020149717.tif 000007